(57)【要約】【課題】人の目、耳、鼻のような比較的に狭い、限定的な範囲を照らす用途に十分であって、照明を入り切りする利用状況において煩雑な操作を必要とせず、軽快に利用可能な照明装置を提供する。【解決手段】照明装置１は、使用者の頭部前方を経て両耳に掛けることが可能であり、装着状態において使用者の頭部正中に配置される前側中央部を有するフレーム２と、フレーム２に設けられる電源部５と、フレーム２の前側中央部に支持され、かつ起臥可能に設けられて起立状態で消灯し、臥位状態で点灯して使用者の視野を照らす光源部６と、を備えている。【選択図】  図１
2019079831.tif 000002
【特許請求の範囲】
【請求項１】
使用者の頭部前方を経て両耳に掛けることが可能であり、装着状態において前記使用者の頭部正中に配置される前側中央部を有するフレームと、
前記フレームに設けられる電源部と、
前記フレームの前側中央部に支持され、かつ起臥可能に設けられて起立状態で消灯し、臥位状態で点灯して前記使用者の視野を照らす光源部と、を備える照明装置。
【請求項２】
前記光源部を前記フレームに起臥可能に支持するアーム部を備え、
前記アーム部は、前記光源部の点灯および消灯に係る第一ヒンジと、前記光源部の光軸の俯仰方向を調整可能な第二ヒンジと、を有し、
前記第一ヒンジは、前記第二ヒンジよりも小さい力で折り曲げ可能な請求項１に記載の照明装置。
【請求項３】
前記アーム部は、前記第二ヒンジと協働して前記光源部の光軸の上下位置および俯仰方向を調整可能な第三ヒンジを備え、
前記第一ヒンジは、前記第三ヒンジよりも小さい力で折り曲げ可能な請求項２に記載の照明装置。
【請求項４】
前記第二ヒンジおよび第三ヒンジは、折り曲げ角度を無段階に調整可能な請求項３に記載の照明装置。
【請求項５】
前記第一ヒンジには、前記光源部の起立位置および臥位位置でクリック感を生じさせて前記光源部を固定するクリック機構が設けられている請求項２から４のいずれか１項に記載の照明装置。
【請求項６】
前記アーム部に設けられる磁石と、
前記フレームに設けられて前記光源部が起立位置に配置されると前記磁石の磁気を検出する磁気検出器と、
前記磁気検出器が前記磁石の磁気を検出すると前記電源部から前記光源部に繋がる給電路を開いて前記光源部を消灯させ、前記磁気検出器が前記磁石の磁気を非検出すると前記電源部から前記光源部に繋がる給電路を閉じて前記光源部を点灯させる制御部と、を備える請求項２から５のいずれか１項に記載の照明装置。
【請求項７】
前記磁石は、前記第一ヒンジと前記第二ヒンジとの間に配置されている請求項６に記載の照明装置。
【請求項８】
前記フレームは、前記使用者のそれぞれの耳に掛かる一対の後端部を有し、
前記電源部は前記後端部の一方に設けられ、
前記制御部は前記後端部の他方に設けられている請求項６または７に記載の照明装置。
【請求項９】
前記フレームは、Ｕ字状の主フレームと、前記主フレームに設けられるＵ字状のケーシングと、を有し、
前記主フレームおよび前記ケーシングは、前記使用者の前頭部から側頭部に至る途中部分に隙間を隔てている請求項１から８のいずれか１項に記載の照明装置。
【発明の詳細な説明】
【技術分野】
【０００１】
本発明は、照明装置に関する。
【背景技術】
【０００２】
帽子型の本体と、この本体に分離、組合せ可能な照明装置を備える頭部装着式拡大鏡が知られている。
【０００３】
また、頭部に装着する照明装置において、医療用のヘッドライトが知られている。
【先行技術文献】
【特許文献】
【０００４】
【特許文献１】特開２００４−２７１６８３号公報
【発明の概要】
【発明が解決しようとする課題】
【０００５】
従来のヘッドライトは、例えば耳鼻科や眼科のように人の目、耳、鼻のような比較的に狭く、ごく限定的な範囲を手軽に照らす用途においては、高性能に過ぎたり（いわゆるオーバースペック）、照明の点灯と消灯との操作（照明の入り切り操作、ＯＮ／ＯＦＦ操作）が煩雑だったりした。
【０００６】
そこで、本発明は、人の目、耳、鼻のような比較的に狭い、限定的な範囲を照らす用途に十分であって、照明を入り切りする利用状況において煩雑な操作を必要とせず、軽快に利用可能な照明装置を提供する。
【課題を解決するための手段】
【０００７】
前記の課題を解決するため本発明の実施形態に係る照明装置は、使用者の頭部前方を経て両耳に掛けることが可能であり、装着状態において前記使用者の頭部正中に配置される前側中央部を有するフレームと、前記フレームに設けられる電源部と、前記フレームの前側中央部に支持され、かつ起臥可能に設けられて起立状態で消灯し、臥位状態で点灯して前記使用者の視野を照らす光源部と、を備えている。
【発明の効果】
【０００８】
本発明に係る実施形態によれば、人の目、耳、鼻のような比較的に狭い、限定的な範囲を照らす用途に十分であって、照明を入り切りする利用状況において煩雑な操作を必要とせず、軽快に利用可能な照明装置を提供することができる。
【図面の簡単な説明】
【０００９】
【図１】本発明の実施形態に係る照明装置を左斜め前上方から見た斜視図。
【図２】本発明の実施形態に係る照明装置を左斜め前上方から見た斜視図。
【図３】本発明の実施形態に係る照明装置の平面図。
【図４】本発明の実施形態に係る照明装置の背面図。
【図５】本発明の実施形態に係る照明装置とその充電台を左斜め前上方から見た斜視図。
【図６】本発明の実施形態に係る照明装置、およびその充電台の機能ブロック図。
【発明を実施するための形態】
【００１０】
本発明に係る照明装置の実施形態について、図１から図６を参照して説明する。
【００１１】
図１および図２は、本発明の実施形態に係る照明装置を左斜め前上方から見た斜視図である。
【００１２】
図３は、本発明の実施形態に係る照明装置の平面図である。
【００１３】
図４は、本発明の実施形態に係る照明装置の背面図である。
【００１４】
本実施形態に係る照明装置１は、眼鏡のように使用者の耳に掛けて使用される。照明装置１は、例えば人の目、耳、鼻のような比較的に狭く、限定的な範囲を照らす用途に用いられる。
【００１５】
なお、本実施形態における照明装置１の前後上下左右の表現は、使用者が照明装置１を装着した状態を基準にする。
【００１６】
図１から図４に示すように、本実施形態に係る照明装置１は、使用者（図示省略）の頭部前方、より具体的には眉間または額の前方を経て両耳（図示省略）に掛けることが可能なフレーム２と、フレーム２に設けられる電源部５と、フレーム２に起臥可能に設けられて起立状態（図２）で消灯し、臥位状態（図１）で点灯して使用者の視野を照らす光源部６と、を備えている。
【００１７】
また、本実施形態に係る照明装置１は、光源部６をフレーム２に起臥可能に支持するアーム部７を備えている。
【００１８】
さらに、本実施形態に係る照明装置１は、アーム部７に設けられる磁石１１と、フレーム２に設けられて光源部６が起立位置に配置されると磁石１１の磁気を検出する磁気検出器１２と、磁気検出器１２が磁石１１の磁気を検出すると電源部５から光源部６に繋がる給電路を開いて光源部６を消灯させ、磁気検出器１２が磁石１１の磁気を非検出すると電源部５から光源部６に繋がる給電路１３を閉じて光源部６を点灯させる光源制御部１５と、を備えている。
【００１９】
フレーム２は、平面視でＵ字状に延びている。フレーム２は、装着状態において使用者の頭部正中に配置される前側中央部（以下、単に「中央部」と言う）を有している。フレーム２の中央部の内側には、鼻パッド１７が設けられている。使用者は、眼鏡のようにフレーム２を両耳に掛け、鼻パッド１７を鼻筋に宛がって照明装置１を装着することができる。フレーム２は、Ｕ字を開く方向（後端部２ａ、２ｂを離間させる方向）に撓ませて広げることができる。使用者は、頭部の大きさに応じてフレーム２を広げて照明装置１を装着する。
【００２０】
フレーム２は、Ｕ字状の主フレーム２１と、主フレーム２１に設けられるＵ字状のケーシング２２と、を備えている。
【００２１】
主フレーム２１は、例えばチタン合金製のＵ字状の板体である。主フレーム２１は、ケーシング２２の外周側に沿ってフレーム２の一方の後端部２ａから他方の後端部２ｂに達している。
【００２２】
ケーシング２２は、ＡＢＳ樹脂やポリプロピレンの成形品である。ケーシング２２は、中空構造であって、光源制御部１５や給電路１３を収容している。
【００２３】
主フレーム２１およびケーシング２２は、使用者の前頭部（図示省略）から側頭部（図示省略）に至る途中部分に隙間２３を隔てている。この隙間２３は、ケーシング２２側に設けられる凹部２５とＵ字状に滑らかに延びる主フレーム２１とを隔てている。
【００２４】
主フレーム２１には、ねじ穴（図示省略）を有するボス（図示省略）が設けられている。主フレーム２１は、ケーシング２２内側からねじ穴に締め付けられる複数のネジ（図示省略）によってケーシング２２に固定されている。ネジは、主フレーム２１とケーシング２２との隙間２３を避けて配置されている。
【００２５】
ケーシング２２は、使用者のそれぞれの耳に掛かる一対の後端部２ａ、２ｂを有している。後端部２ａ、２ｂは、左右方向（幅方向）に狭く、上下方向に広い扁平な角丸直方体形状に膨らんでいる。後端部２ａ、２ｂは、フレーム２の上下に膨出し、下側により大きく膨出している。フレーム２は、これら後端部２ａ、２ｂの下方に膨出する部分が使用者の耳輪に深く引っ掛かることによって、掛け心地を向上させている。
【００２６】
後端部２ａ、２ｂのいずれか一方、例えば右側の後端部２ａには、光源部６の明るさを変更するための設定スイッチ３１が設けられている。設定スイッチ３１は、後端部２ａの天面に配置されている。使用者は、照明装置１を掛けたまま、手指で設定スイッチ３１を押し下し操作することによって光源部６の明るさを調整できる。後端部２ａには、光源制御部１５が収容されている。
【００２７】
また、後端部２ａ、２ｂのいずれか他方、例えば左側の後端部２ｂは、電源部５を着脱自在に装着可能な電源装着部として機能する。
【００２８】
ケーシング２２は、中央部の内側に鼻パッド１７を支える鼻パッド基部３２を備えている。鼻パッド基部３２は、ケーシング２２に一体成形されている。鼻パッド基部３２は、フレーム２の中央部から下方へ垂れ下がるように突出している。
【００２９】
鼻パッド基部３２の内側には、鼻パッド１７を上下方向へ移動可能に支持するスライダ機構３３が設けられている。鼻パッド１７は、スライダ機構３３を介して鼻パッド基部３２に支えられている。
【００３０】
スライダ機構３３は、鼻パッド基部３２に設けられる溝部３５と、溝部３５に嵌め込まれ、かつ鼻パッド１７に一体のスライダ３６と、を備えている。
【００３１】
溝部３５の対向する一対の壁面には、複数の爪が設けられている。
【００３２】
スライダ３６は、Ｕ字またはアーチ状に曲がり、一対の腕部（あるいは脚部）を有している。スライダ３６は、溝部３５の対向する壁面に一対の腕部を突っ張るようにして、溝部３５に嵌め込まれている。スライダ３６は、一対の腕部の開きを狭めるよう弾性変形できる。スライダ３６の一対の腕部には、溝部３５の爪に引っ掛かる爪が設けられている。スライダ３６の一対の腕部には、鼻パッド１７が連結されている。
【００３３】
使用者が鼻パッド１７を左右から圧迫することによって、スライダ３６は、一対の腕部の間隔が狭まり、腕部の爪が溝部３５の爪から離脱して溝部３５内を上下方向へ移動可能になる。スライダ３６の爪を引っ掛かる溝部３５の爪位置が変わることによって、スライダ機構３３は、鼻パッド１７の上下位置を段階的に変える。
【００３４】
アーム部７は、フレーム２の中央部の外側に設けられている。具体的には、アーム部７は、鼻パッド基部３２の外側に設けられている。アーム部７は、光源部６を俯仰可能に支持している。換言すると、光源部６は、アーム部７を介してフレーム２の中央部に支持されている。
【００３５】
アーム部７は、光源部６の点灯および消灯に係る第一ヒンジ４１と、光源部６の光軸の俯仰方向を調整可能な第二ヒンジ４２と、を備えている。
【００３６】
また、アーム部７は、第二ヒンジ４２と協働して光源部６の光軸の上下位置および俯仰方向を調整可能な第三ヒンジ４３を備えている。
【００３７】
これら第一ヒンジ４１、第二ヒンジ４２、および第三ヒンジ４３のヒンジ中心は、相互に平行に配置されている。
【００３８】
第一ヒンジ４１は、第二ヒンジ４２よりも小さい力で折り曲げることができる。また、第一ヒンジ４１は、第三ヒンジ４３よりも小さい力で折り曲げることができる。
【００３９】
第一ヒンジ４１には、光源部６の起立位置および臥位位置でクリック感を生じさせて光源部６を固定するクリック機構４５が設けられている。
【００４０】
第二ヒンジ４２および第三ヒンジ４３は、折り曲げ角度を無段階に調整することができる。第二ヒンジ４２または第三ヒンジ４３のみの１軸では、光源部６の光軸を俯仰させることしかできないが、第二ヒンジ４２および第三ヒンジ４３の２軸を活用することによって、光源部６の高さ位置調整（使用者の目に対する上下方向の位置関係）、およびその高さにおける俯仰方向の調整が可能になる。
【００４１】
アーム部７は、第一ヒンジ４１、第二ヒンジ４２、および第三ヒンジ４３を有する多関節アームであるが、光源部６の点灯および消灯に係る起臥動作は、もっぱら第一ヒンジ４１まわりに行われる。光源部６の光軸調整は、もっぱら第二ヒンジ４２、および第三ヒンジ４３まわりに行われる。
【００４２】
ここで仮に、光源部６の点灯および消灯に係る起臥動作を担うヒンジと、光源部６の光軸調整を担うヒンジとが同一のヒンジだった場合、使用者は、光源部６の点灯および消灯に係る起臥動作の都度、光源部６の光軸を調整しなくてはならず、極めて煩わしい。
【００４３】
そこで、本実施形態に係る照明装置１は、第二ヒンジ４２および第三ヒンジ４３によって光源部６の光軸調整を一旦済ませてしまえば、光軸調整後は、光源部６を第一ヒンジ４１まわりに倒すだけで、光源部６を点灯させ、かつ調整済みの方向に光源部６の光軸を指向させることができる。
【００４４】
光源部６は、光源に例えばＬＥＤを備えている。光源部６には、光源が照射する光の焦点距離を変更し、照射範囲を調整するための焦点距離可変機構（図示省略）を備えている。焦点距離可変機構は、レンズ４７を光軸方向に移動させることで焦点距離を変化させる。
【００４５】
なお、光源部６の臥位状態とは、光源部６の光軸が使用者の視線に沿うよう正面を指向する状態（図１）を言う。また、光源部６の起立状体とは、光源部６の光軸が使用者の視線を離れ、使用者が照明装置１を装着している場合には光源部６が使用者の額の前方へ配置され、退避している状態（図２）を言う。
【００４６】
磁石１１は、アーム部７に設けられ、第一ヒンジ４１と第二ヒンジ４２との間に配置されている。
【００４７】
磁気検出器１２は、光源部６を起立させると磁石１１の磁力を検出可能な位置、具体的にはフレーム２の中央部に設けられている。
【００４８】
磁石１１は、光源部６の起臥にともなって光源部６とともに移動する。磁石１１は、光源部６を起立させると磁気検出器１２に近接して磁気が検出されるよう配置されている。
【００４９】
磁石１１は、光源部６を起立させた際に、その磁気を磁気検出器１２が検出可能な何れの箇所に設けられていても良い。磁石１１は、例えばアーム部７の他に光源部６に設けられていても良い。ただし、使用者毎に光源部６の光軸調整位置が異なることが予想されるため、光源部６の起立位置は、必ずしも一意に定まらない。他方、アーム部７は、第一ヒンジ４１のクリック機構４５によって起立位置が定まっているので、光源部６の起立にともなう移動箇所を一意に特定できる。したがって、アーム部７に磁石１１を設けておくことが好ましい。
【００５０】
電源部５は、二次電池５１、例えばリチウムイオン電池と、非接触給電用の受電側コイル５２と、フレーム２のケーシング２２に組み合わさるハウジング５３と、を備えている。
【００５１】
また、電源部５は、フレーム２のケーシング２２に着脱可能に装着されている。このため、電源部５およびフレーム２には二次電池５１と光源部６との給電路を接続する電源端子５５が設けられている。
【００５２】
電源部５は、フレーム２のケーシング２２にハウジング５３を組み合わせて一体化することによってフレームに装着される。このため、ケーシング２２およびハウジング５３には、溝と爪のように凹凸を嵌め合わせる固定機構（図示省略）が設けられている。
【００５３】
図５は、本発明の実施形態に係る照明装置とその充電台を左斜め前上方から見た斜視図である。
【００５４】
図５に示すように、本実施形態に係る照明装置１は、充電台６１、いわゆるホルダに仕舞っておくことができる。
【００５５】
充電台６１は、電磁誘導方式の非接触給電（非接触電力伝送、ワイヤレス電力伝送、ワイヤレス給電）で照明装置１に装着された電源部５の二次電池５１、および予備用の電源部５の二次電池５１を充電する。
【００５６】
充電台６１は、照明装置１のフレーム２の中央部を支える前支柱６２と、フレーム２の後端部２ａ、２ｂを支える後部支持台６３と、照明装置１のフレーム２同様にアーチ状に延びて前支柱６２と後部支持台６３とを繋ぐ脚部６５と、を備えている。
【００５７】
なお、図５および図６は、照明装置１の光源部６をフレーム２の内側へ倒し込んだ収納形態を図示している。この収納形態は、出荷時の梱包形態や、長期収納のために光源部６を畳んだ形態である。
【００５８】
充電台６１は、日々の使用局面では、アーム部７の第二ヒンジ４２および第三ヒンジ４３を光軸調整済みの角度に維持したまま、第一ヒンジ４１まわりに光源部６を起立させた状態で照明装置１を仕舞っておくこともできる。
【００５９】
前支柱６２は、照明装置１の鼻パッド基部３２を避け、鼻パッド基部３２の左右両側方でフレーム２を下方から支えている。
【００６０】
脚部６５は、フレーム２よりも太く、平面視において充電台６１に納まった照明装置１のフレーム２よりも外側に稜線を有している。脚部６５は、充電台６１を壁際に寄せて配置した際に、フレーム２に先んじて壁に接触し、フレーム２が壁に接触することを防ぐ。
【００６１】
後部支持台６３は、平面視において角丸逆三角形状を有し、脚部６５同様にフレーム２の外側に拡がっている。
【００６２】
後部支持台６３の正面側の辺部は、照明装置１の光源部６をフレーム２の内側へ倒し込んだ収納形態であっても、光源部６に干渉しないよう配置されている。
【００６３】
後部支持台６３の側面側の辺部は、フレーム２の後端部２ａ、２ｂに沿うように配置されている。
【００６４】
後部支持台６３は、フレーム２の後端部２ａ、２ｂのそれぞれを納める凹部６７ａ、６７ｂを有している。凹部６７ａ、６７ｂは、フレーム２に撓みのない中立な状態で後端部２ａ、２ｂを差し込むことが可能な位置に配置されている。
【００６５】
左側の凹部６７ａには、照明装置１に装着されたまま電源部５の受電側コイル５２へ送電する第一非接触給電部７１が設けられている。第一非接触給電部７１は、後部支持台６３内に収容されている。後部支持台６３の天面かつ凹部６７ａの近傍には、照明装置１に装着された二次電池５１の充電状態を報知する第一報知部７２が設けられている。
【００６６】
第一報知部７２は、例えば点灯、点滅、点灯色、および点滅色などで二次電池５１の充電状態を報知する光源である。第一報知部７２は、例えば橙色に点灯したり、点滅したりすることで二次電池５１を充電していることを報知する。また、第一報知部７２は、例えば緑色に点灯することで二次電池５１が満充電されたことを報知する。
【００６７】
後部支持台６３の正面側の辺部と左右の凹部６７ａ、６７ｂとで囲まれる領域には、照明装置１から取り外された電源部５を単独で充電可能な充電部７５が設けられている。後部支持台６３には、充電部７５に載置された電源部５の受電側コイル５２へ送電する第二非接触給電部７６が設けられている。第二非接触給電部７６は、後部支持台６３内に収容されている。充電部７５に載置された電源部５は、いわゆる予備バッテリとして照明装置１に装着された電源部５と交換することができる。
【００６８】
後部支持台６３の天面かつ充電部７５の近傍には、充電部７５に載置された二次電池５１の充電状態を報知する第二報知部７７が設けられている。
【００６９】
第二報知部７７は、例えば点灯、点滅、点灯色、および点滅色などで二次電池５１の充電状態を報知する光源である。第二報知部７７は、例えば橙色に点灯したり、点滅したりすることで二次電池５１を充電していることを報知する。また、第二報知部７７は、例えば緑色に点灯することで二次電池５１が満充電されたことを報知する。
【００７０】
図６は、本発明の実施形態に係る照明装置、およびその充電台の機能ブロック図である。
【００７１】
図１から図５に加えて図６に示すように、本実施形態に係る照明装置１は、電源部５と、磁気検出器１２と、光源制御部１５と、光源部６と、これらを電気的に接続する給電路１３と、を備えている。
【００７２】
電源部５は、二次電池５１、および受電側コイル５２の他に、受電側コイル５２から二次電池５１への充電、および二次電池５１から光源部６への放電を制御する充放電制御部８１を備えている。充放電制御部８１は、充放電を切り換えるスイッチング素子（図示省略）と、スイッチング素子を制御するマイクロコンピュータ（図示省略）と、が実装された充放電制御用回路基板である。
【００７３】
磁気検出器１２は、ホール素子８３が実装された磁気検出用回路板である。ホール素子８３は、光源部６またはアーム部７に設けられる磁石１１の磁気を検出し、検出結果を光源制御部１５へ出力する。
【００７４】
なお、磁気検出用回路板は、電源部５と光源制御部１５とを電気的に接続する給電路１３ａを中継し、また、光源制御部１５と光源部６とを電気的に接続する給電路１３ｂを中継している。
【００７５】
光源制御部１５は、電源部５と光源部６との間に配置されるＤＣ／ＤＣコンバータ８２と、電源部５と光源部６とを電気的に接続する給電路１３ａを開閉するスイッチング素子８５と、電源部５と光源部６とを電気的に接続する給電路１３ａを開閉するスイッチング素子８５と、光源部６の明るさ調整を行うマイクロコンピュータ８６と、光源部６へ電力供給を安定させる定電流回路８７と、が実装された制御用回路板である。
【００７６】
マイクロコンピュータ８６は、スイッチング素子８５、例えばＭＯＳＦＥＴ（Metal-Oxide-Semiconductor Field-Effect Transistor）をスイッチング制御することによって光源部６を点灯させたり、消灯させたり、点灯時の明るさを調整したりする。
【００７７】
光源部６は、光源、例えばＬＥＤ８８が実装された光源用回路板である。
【００７８】
充電台６１は、第一非接触給電部７１と、第二非接触給電部７６と、第一非接触給電部７１、および第二非接触給電部７６に直流電力を分配する電源分配部９１と、を備えている。
【００７９】
第一非接触給電部７１は、非接触給電用の送電側コイル９２と、第一報知部７２としての光源、例えばＬＥＤと、送電側コイル９２から受電側コイル５２への送電を制御する第一送電制御部９５と、を備えている。
【００８０】
第二非接触給電部７６は、非接触給電用の送電側コイル９３と、第二報知部７７としての光源、例えばＬＥＤと、送電側コイル９３から受電側コイル５２への送電を制御する第二送電制御部９６と、を備えている。
【００８１】
電源分配部９１には、商用交流電源に接続可能であり、商用交流電源Ｅを直流電源に変換して電源分配部９１に給電するＡＣアダプタ９７が接続されている。
【００８２】
一般に医療用のヘッドライトは、手元範囲を照らす外科用のものであったり、口腔内を照らす歯科用のものであったりする。これら外科用や歯科用のヘッドライトは、頭部に巻き付けるヘッドバンドと、ヘッドバンドに設けられる光源と、を備えている。また、コードレスタイプのヘッドライトは、光源の出力に応じる大型の電源部を必要とする。
【００８３】
他方、医療分野であっても、耳鼻科や眼科で耳の孔の中（外耳道）や眼球を照らす用途では、従来の医療用のヘッドライトほどの性能は必要ない。
【００８４】
そこで、本実施形態に係る照明装置１は、耳に掛ける眼鏡フレーム状のフレーム２と、フレーム２に設けられる電源部５と、起立状態で消灯し、臥位状態で点灯して使用者の視野を照らす光源部６と、を備えているため、従来の医療用ヘッドライトに比べて明るさの小さい光源部６の点灯に足りる電源出力を有して、人の目、耳、鼻のような比較的に狭い、限定的な範囲を照らす用途に十分であり、かつ照明を入り切りする利用状況において煩雑な操作を必要とせず、電源部５を起臥させることで軽快に利用することができる。
【００８５】
また、本実施形態に係る照明装置１は、第二ヒンジ４２よりも小さい力で折り曲げ可能な第一ヒンジ４１を有するアーム部７を備えているため、第二ヒンジ４２で光源部６の光軸を調整し、この光軸調整後の状態を保ったまま第一ヒンジ４１で光源部６を起臥させ、点灯または消灯させることができる。照明装置１は、光源部６を手指で掴み、あるいは摘まんで起臥させることで、第一ヒンジ４１まわりに光源部６を起臥させて照明を点灯または消灯させることが可能である。このとき、折り曲げるために第一ヒンジ４１よりも大きい力が必要な第二ヒンジ４２および第二ヒンジ４２は、光軸調整後の状態を保ち続ける、つまりヒンジの角度を保ち続ける。
【００８６】
さらに、本実施形態に係る照明装置１は、第三ヒンジ４３よりも小さい力で折り曲げ可能な第一ヒンジ４１を備えているため、光源部６の光軸の俯仰に加えて上下位置を調整することができる。
【００８７】
さらにまた、本実施形態に係る照明装置１は、第二ヒンジ４２および第三ヒンジ４３の折り曲げ角度が無段階に調整できるため、光源部６の光軸調整の自由度が高く、使用者の利便性を高めることができる。
【００８８】
また、本実施形態に係る照明装置１は、光源部６の起立位置および臥位位置でクリック感を生じさせて光源部６を固定するクリック機構４５を備えているため、光源部６の起臥操作の確実性と軽快性を高め、かつそれぞれの状態における光源部６の保持性を高めることができる。
【００８９】
さらに、本実施形態に係る照明装置１は、磁石１１と磁気検出器１２とを組み合わせて光源部６の起臥状態の切り替わりを検出するため、簡易な構造で光源部６の起臥操作と、点灯と消灯とを連動させることができる。
【００９０】
さらにまた、本実施形態に係る照明装置１は、第一ヒンジ４１と第二ヒンジ４２との間に磁石１１が配置されているため、光源部６の起臥にともなうアーム部７の折れ曲がりを確実に検出して光源部６の起臥操作と、点灯と消灯とを連動させることができる。
【００９１】
また、本実施形態に係る照明装置１は、フレーム２の後端部２ａ、２ｂのそれぞれに電源部５および光源制御部１５を設けているため、フレーム２の中央部に配置される光源部６、電源部５、および光源制御部１５をフレーム２に分散して配置し、装置全体での重量バランスを取って掛け心地を向上できる。
【００９２】
さらに、本実施形態に係る照明装置１は、主フレーム２１およびケーシング２２との間であって使用者の前頭部から側頭部に至る途中部分に隙間を隔てているため、頭部に応じてＵ字のフレーム２を広げる際に、主フレーム２１とケーシング２２との間に生じる撓み量の違いを緩衝し、フレーム２の柔性を高めることができる。
【００９３】
したがって、本実施形態に係る照明装置１によれば、人の目、耳、鼻のような比較的に狭い、限定的な範囲を照らす用途に十分であって、照明を入り切りする利用状況において煩雑な操作を必要とせず、軽快に利用することができる。
【００９４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
１…照明装置、２…フレーム、２ａ…後端部、２ｂ…後端部、５…電源部、６…光源部、７…アーム部、１１…磁石、１２…磁気検出器、１３…給電路、１３ａ…給電路、１３ｂ…給電路、１５…光源制御部、１７…鼻パッド、２１…主フレーム、２２…ケーシング、２３…隙間、２５…凹部、３１…設定スイッチ、３２…鼻パッド基部、３３…スライダ機構、３５…溝部、３６…スライダ、４１…第一ヒンジ、４２…第二ヒンジ、４３…第三ヒンジ、４５…クリック機構、４７…レンズ、５１…二次電池、５２…受電側コイル、５３…ハウジング、５５…電源端子、６１…充電台、６２…前支柱、６３…後部支持台、６５…脚部、６７ａ、６７ｂ…凹部、７１…第一非接触給電部、７２…第一報知部、７５…充電部、７６…第二非接触給電部、７７…第二報知部、８１…充放電制御部、８２…ＤＣ／ＤＣコンバータ、８３…ホール素子、８５…スイッチング素子、８６…マイクロコンピュータ、８７…定電流回路、８８…ＬＥＤ、９１…電源分配部、９２…送電側コイル、９３…送電側コイル、９５…第一送電制御部、９６…第二送電制御部、９７…ＡＣアダプタ。
【図１】
2019079831.tif 000003
【図２】
2019079831.tif 000004
【図３】
2019079831.tif 000005
【図４】
2019079831.tif 000006
【図５】
2019079831.tif 000007
【図６】
2019079831.tif 000008